(57)【要約】【課題】  容器内外の空気の流通がよいものでありながら、内部の野菜は外部との接触から保護され、また、使用時に内部の野菜を取り扱いやすい野菜生育包装用容器を提供すること。【解決手段】  上部が開口した底箱１と、前記底箱１の上部開口周縁部１１に形成された対向する２つの連結部２ａ，２ｂを介して折り曲げ自在に外方向に一体的に連結された第一壁３ａ，３ｂと、前記第一壁３ａ，３ｂの幅方向の両縁から上方に向かって立ち上げられた第二壁４ａ，４ｂと、前記第二壁４ａ，４ｂの終端から外方に向かって形成されたフランジ部５ａ，５ｂとからなり、前記第一壁３ａ，３ｂを上方に持ち上げた閉じ姿勢において、対向する前記フランジ部５ａと前記フランジ部５ｂとが密着部分Ａと非密着部分Ｂを形成する構造としたこと。【選択図】        図１
2005271948.tif 000002
【特許請求の範囲】
【請求項１】
合成樹脂製シートを膨出成形させた野菜栽培包装用容器であって、上部が開口した底箱(1)と、前記底箱(1)の上部開口周縁部(11)に形成された対向する２つの連結部(2a),(2b)を介して折り曲げ自在に外方向に一体的に連結された第一壁(3a),(3b)と、前記第一壁(3a),(3b)の幅方向の両縁から上方に向かって立ち上げられた第二壁(4a),(4b)と、前記第二壁(4a),(4b)の終端から外方に向かって形成されたフランジ部(5a),(5b)とからなり、前記第一壁(3a),(3b)を上方に持ち上げた閉じ姿勢において、対向する前記フランジ部(5a)と前記フランジ部(5b)とが密着部分(A)と非密着部分(B)を形成する構造とした野菜栽培包装用容器。
【請求項２】
前記フランジ部(5a),(5b)の何れか一方に凸部(51)を他方に該凸部(51)を受け入れる嵌合凹部(52)を形成し、閉じ姿勢において該凸部(51)と該嵌合凹部(52)が係止し、閉じ姿勢を維持することを特徴とする請求項１に記載の野菜栽培包装用容器。
【発明の詳細な説明】
【技術分野】
【０００１】
本発明は、例えばほうれん草、京菜、チンゲン菜等のいわゆる立ち形葉菜類やカイワレ大根等の根物野菜やその他野菜を、生育段階から、出荷、販売、そして使用直前に至るまで、内部で生育させるために使用する野菜栽培包装用容器に関するものである。
【背景技術】
【０００２】
この種の容器は、出荷時に野菜の収穫、包装等の加工作業を必要とせず、生産ラインの合理化を図ることができるとともに、出荷、販売、そして使用段階に至るまで、容器内部で野菜を生育させ続け、使用する直前に必要量を採取することにより採れたての新鮮野菜を食することができ、且つ残りを生育させつつ保存することができるという非常に有用な容器である。
【０００３】
この種の容器の中では、特開平９−１６３８８５号公報に見られるように、カイワレ大根の包装用容器が一般的によく知られている。この公報に記載のカイワレ大根の包装用容器は、深絞り状に形成した容器であって、育成中に必要な水や液肥等の栽培液を保持する保水機能を有する発泡ウレタンマット等からなる培地を敷き込み、この培地に種子を蒔いて、カイワレ大根等の芽物野菜を発芽、育成させる栽培を行う容器であるとともに、生育後はそのまま出荷にも供することができる容器である。
【０００４】
また、実公平４−３２９２２号公報に見られるように、中央に位置し円形かつ深皿状の凹部を有した容器本体と、当該凹部を囲曉し外周が正方形の４辺をなす鍔部と、当該鍔部の対向する２辺から互いに反対方向へ一体的に延長し当該鍔部との間で折曲自在な１対の把手部とからなる食用きのこ類の栽培用容器であって、必要に応じ、１対の把手部を上方に折り曲げて一体化することができる食用きのこ類の栽培用容器が公知となっている。この公報に記載の食用きのこ類の栽培用容器も同様に、各種きのこ類を製造するための容器として機能するとともに、商品販売のための収納容器としても機能する容器である。
【特許文献１】特開平９−１６３８８５号公報
【特許文献２】実公平４−３２９２２号公報
【発明の開示】
【発明が解決しようとする課題】
【０００５】
しかしながら、前者の包装用容器は、深絞り状の容器に培地とカイワレ大根を収容し、出荷時に蓋を取り付けて販売する容器であるが、出荷から販売、使用に至るまで深絞り状の容器と蓋で密閉されているため、容器内部が発生する水蒸気で蒸れ、また、容器内部に二酸化炭素が溜まってカイワレ大根の生育に悪影響がある。さらに、深絞り状の容器にカイワレ大根が収容されているので、使用時に一部を採って使用する場合に、容器内部の奥深くに指を入れて採るか、培地ごと全体を取り出した後に一部を採取するという作業が必要であり、扱いにくいものである。
【０００６】
また、後者の包装用容器は、容器本体と鍔部と１対の把手部とから構成され、１対の把手部を上方に折り曲げて一体化しても、側面が大きく開いた構造であるので、空気の流通はよく、一体化した１対の把手部を解放して開けば、容器本体の開口部が大きく開いているので、必要量のきのこを採り出しやすいという利点はあるものの、他方では側面が大きく開いた構造であるため、内容物と外部との接触機会が多く内容物が傷んでしまうという課題がある。
【０００７】
そこで、本発明は、出荷時に野菜を収穫、包装する等の加工作業を必要とせず、生産ラインの合理化を図ることができるとともに、使用する直前に必要量を採取することにより新鮮野菜を食することができ、且つ残りを生育させつつ保存することができるという従来の容器が持つ利点を継承しつつ、容器内外の空気の流通がよいものでありながら、内部の野菜は外部との接触から保護され、また、使用時に内部の野菜を取り扱いやすい野菜生育包装用容器を提供するものである。
【課題を解決するための手段】
【０００８】
この課題を解決するために講じた本発明の構成を、実施例を示す図面に使用した符号を用いて説明すると、本発明は、合成樹脂製シートを膨出成形させた野菜栽培包装用容器であって、上部が開口した底箱１と、前記底箱１の上部開口周縁部１１に形成された対向する２つの連結部２ａ，２ｂを介して折り曲げ自在に外方向に一体的に連結された第一壁３ａ，３ｂと、前記第一壁３ａ，３ｂの幅方向の両縁から上方に向かって立ち上げられた第二壁４ａ，４ｂと、前記第二壁４ａ，４ｂの終端から外方に向かって形成されたフランジ部５ａ，５ｂとからなり、前記第一壁３ａ，３ｂを上方に持ち上げた閉じ姿勢において、対向する前記フランジ部５ａと前記フランジ部５ｂとが密着部分Ａと非密着部分Ｂを形成する構成のものである。
【発明の効果】
【０００９】
本発明の野菜生育包装用容器によれば、第一壁を上方に持ち上げて形成した閉じ姿勢において、第二壁の終端から外方向に向かって形成された対向する２つのフランジ部が密着部分と非密着部分を形成する構造としたことにより、対向する２つのフランジ部の密着部分は、第二壁同士をつないで壁面を形成し、その結果、２つの第一壁とつながれた２つの第二壁で野菜の収容部を形成するので、内部の野菜が外部との接触から保護され、損傷のない良質の野菜を提供でき、他方、対向する２つのフランジ部の非密着部分は、容器の内外に空気が流通する孔を閉じ姿勢の状態にある容器の側面に形成するので、容器内外の空気の流通が良好で、容器内部が水蒸気で蒸れることがなく、また、容器内の空気の入れ替えが行われて野菜の生育によい環境を作ることができ、新鮮さに加えて質のよい野菜を提供することができる。
【００１０】
また、第一壁を上方に持ち上げて形成した閉じ姿勢から、それぞれの第一壁を外方向に開いて、連結部を介してそれぞれの第一壁を下方に押し下げることにより、底箱の上部が広く開放した構造となるので、容器の壁面が妨げとなることなく収容された野菜を必要な分量だけ容易に採ることができ、容器内部の野菜の取り扱いが容易である。
【発明を実施するための最良の形態】
【００１１】
本発明の野菜生育包装用容器を実施するにあたって、フランジ部５ａ，５ｂの何れか一方に凸部５１を他方に該凸部５１を受け入れる嵌合凹部５２を形成し、閉じ姿勢において該凸部５１と該嵌合凹部５２が係止し、閉じ姿勢を維持する構成とすることにより、対向するフランジ面を利用して安定した閉じ姿勢を形成することができる。
【００１２】
また、本発明の野菜生育包装用容器を実施するにあたって、容器成形の素材としては、ＰＥＴ、ＰＢＴ等の合成樹脂素材を用いて成形することができる。
【００１３】
また、第一壁３ａ，３ｂを上方に持ち上げた閉じ姿勢において、対向するフランジ部５ａ，５ｂの密着部分Ａと非密着部分Ｂの形態及び比率は、密着部分Ａにより、第二壁４ａ，４ｂ同士を繋いで壁面を形成し、その結果、２つの第一壁３ａ，３ｂと繋がれた２つの第二壁４ａ，４ｂで野菜の収容部を形成されることにより、内部の野菜が外部との接触から保護されるという効果が得られ、非密着部分Ｂにより、容器の内外に空気が流通する孔８を容器の側面に形成するという効果が得られ、これらの両方の効果を同時に満たす範囲内で適宜実施することができる。対向するフランジ部５ａ，５ｂの密着部分Ａと非密着部分Ｂにより形成される孔８の形態の例としては、後述する実施例で示したような扇形や凸形、あるいは円形、楕円形、方形その他の形態で実施することができる。
【実施例】
【００１４】
以下、本発明の実施例を図示例と共に説明する。図１乃至図５は本願発明の第１実施例の野菜栽培包装用容器を示した図であって、図１は開いた状態の斜視図、図２は閉じた状態の斜視図、図３は内部に野菜を収容した開いた状態の側面図、図４は内部に野菜を収容した閉じた状態の側面図、図５は内部に野菜を収容した閉じた状態の斜視図を示す。
【００１５】
該第１実施例の野菜栽培包装用容器は、青梗菜の栽培包装用容器であって、ＰＥＴを素材として周知の膨出成形手段により、底箱１と、第一収容部形成壁３ａ，３ｂが連結部２ａ，２ｂを介して一体的に折り曲げ自在に連結されている。底箱１は、上部が開口し、主として野菜の根部を収容する直方体状の凹部１２を備え、該凹部１２の対向する短辺側の上部開口周縁部１１には、外方に向かって突出する扁平のフランジ１３が、該凹部１２の対向する長辺側の上部開口周縁１１には、連結部２ａ，２ｂが形成されている。第一壁３ａ，３ｂは、方形の薄板状であり、連結部２ａ，２ｂを介して外方に向かって底箱１と一体的に成形されている。
【００１６】
図１に示した開いた状態で見て、第一壁３ａ，３ｂ幅方向の両縁から上方に向かって直に立ち上げられた第二壁４ａ，４ｂが形成され、該第二壁４ａ，４ｂの上方終端から外方に向かって突出させたフランジ部５ａ、５ｂが形成され、該フランジ部５ａ，５ｂの外方終端から下方に第二壁４ａ，４ｂと平行に第三壁６ａ，６ｂが形成され、第三壁６ａ，６ｂの下方終端から外方に向かってフランジ７ａ，７ｂを突出させている。フランジ部５ａ，５ｂは、第一壁３ａ，３ｂの遊端側の終縁部から連結部２ａ，２ｂに至る長さで形成されているが、第一壁３ａ，３ｂの遊端側の終縁から３／４の地点までは、第一壁３ａ，３ｂと平行に形成され、連結部２ａ，２ｂに至るまでの残りの１／４の部分は、連結部２ａ，２ｂに向かうに従って緩やかに下方に傾斜させている。また、フランジ部５ａの遊端側の終端には円柱状の突起５１を、他方のフランジ部５ｂの遊端側の終端にはこれを受け入れる円柱状の嵌合凹部５２をそれぞれ２箇所ずつ形成している。なお、本実施例では、第一壁３ａ，３ｂの遊端側の終縁部分から、上方に向かって直に立ち上げられた第四壁４ｃ，４ｄが形成され、該第四壁４ｃ，４ｄの上方終端から外方に向かって突出させたフランジ部５ｃ，５ｄが形成され、該フランジ部５ｃ，５ｄの外方終端から下方に第四壁４ｃ，４ｄと平行に第五壁６ｃ，６ｄが形成され、第五壁６ｃ，６ｄの下方終端から外方に向かってフランジ７ｃ，７ｄを突出させていて、閉じ姿勢において、フランジ部５ｃとフランジ部５ｄが接面し、第四壁４ｃと第四壁４ｄ、および第五壁６ｃと第五壁６ｄが繋がって一体となり、容器上部の壁面を形成しているが、容器上部の壁面は本発明の構成要件として必ずしも必須の要件ではなく、これを形成するか否か、形成するとしても、例えば、空気の流通穴を形成したりする等、どのような形態にするかは任意である。
【００１７】
図３乃至図５は、該実施例の青梗菜の栽培包装用容器の使用を示した図であり、最初に水分、養液を含ませた生育培地９を底板１の底面に轢き、種を蒔く。水分や養液を与えつつ、青梗菜が容器内部の高さの７、８割程まで成育した容器は、第一壁３ａ，３ｂを連結部２ａ，２ｂ部分で折り曲げつつ上方に持ち上げて、フランジ部５ａのコーナーに形成された突起５１を対応するフランジ部５ｂのコーナーに形成された嵌合凹部５２に嵌入、係止させて閉じ姿勢を形成した後に出荷される。
【００１８】
この際、フランジ部５ａ，５ｂのうち、第一壁３ａ，３ｂと平行に形成された部分は、密着部分Ａとなり、互いに接面し、第二壁４ａと第二壁４ｂ、および第三壁６ａと第三壁６ｂが繋がって一体となり、容器側部の壁面を形成する。フランジ部５ａ，５ｂのうち、緩やかに下方に傾斜させて形成された部分は、接面せず非密着部分Ｂとなり、容器内外の空気を流通させる扇形の孔８を形成する。
【００１９】
そして、販売購入後は、突起５１と嵌合凹部５２の係止状態を解除して、第一壁３ａ，３ｂを連結部２ａ，２ｂ部分で折り曲げつつ下方に下げて容器上部を開放し、必要量だけ青梗菜を採り出した後に、再び第一壁３ａ，３ｂを連結部２ａ，２ｂ部分で折り曲げつつ上方に持ち上げて突起５１と嵌合凹部５２を係止状態にし閉じ姿勢を形成して、残った青梗菜を生育させつつ保存する。
【００２０】
図６及び図７は本願発明の第２実施例のカイワレ大根の栽培包装用容器を示した図であって、第１実施例と大きく異なるのは、図示されていないが、底箱１の底面を正方形状に形成してあり、第一壁３ａ，３ｂを上方に持ち上げた閉じ姿勢では、図６に示したように非密着部分Ｂが空気を流通させる凸形の孔８となるように、第二壁４ａ，４ｂとフランジ部５ａ，５ｂと第三壁６ａ，６ｂの形状を決定している。また、図６に示したように、フランジ６ａ，６ｂを連結部２ａ，２ｂから離れる方向へ向かうに従い、内方へ（フランジ部５ａ，５ｂ側に）傾斜させて形成している。その他の構造、使用方法は第１実施例とおおよそ同様である。
【００２１】
以上本発明の代表例と思われる実施例について説明したが、本発明の野菜栽培包装用容器は、上述の実施例にのみ限定されるものではなく、その他本発明にいう前記の構成要件を備え、かつ本発明にいう目的を達成し、本発明にいう効果を有する範囲内において適宜改変して実施することができるものである。
【産業上の利用可能性】
【００２２】
本発明は、ほうれん草、京菜、チンゲン菜等のいわゆる立ち形葉菜類や、カイワレ大根等の根物野菜やその他野菜を成育させながら出荷、販売し、使用直前まで生育させ続けることができる容器でありながら、空気の流通がよく、内部の野菜が損傷しないように保護され、かつ取り扱いも容易な野菜栽培包装用容器として利用可能である。
【図面の簡単な説明】
【００２３】
【図１】第１実施例の開いた状態の斜視図。
【図２】同閉じた状態の斜視図。
【図３】同内部に野菜を収容した開いた状態の側面図。
【図４】同内部に野菜を収容した閉じた状態の側面図。
【図５】同内部に野菜を収容した閉じた状態の斜視図。
【図６】第２実施例の閉じた状態の側面図。
【図７】同内部に野菜を収容した閉じた状態の側面図。
【符号の説明】
【００２４】
１  底箱
１１  上部開口周縁部
１２  凹部
１３  フランジ
２ａ，２ｂ  連結部
３ａ，３ｂ  第一壁
４ａ，４ｂ  第二壁
４ｃ，４ｄ  第四壁
５ａ，５ｂ  フランジ部
５ｃ，５ｄ  フランジ部
５１  凸部
５２  嵌合凹部
６ａ，６ｂ  第三壁
６ｃ，６ｄ  第五壁
７ａ，７ｂ  フランジ
７ｃ，７ｄ  フランジ
８  孔
９  生育培地
Ａ  密着部分
Ｂ  非密着部分
【図１】
2005271948.tif 000003
【図２】
2005271948.tif 000004
【図３】
2005271948.tif 000005
【図４】
2005271948.tif 000006
【図５】
2005271948.tif 000007
【図６】
2005271948.tif 000008
【図７】
2005271948.tif 000009